(57)【特許請求の範囲】
【請求項１】
ネック部と大径頭部とを有するピンに着脱されるストラップの吊具において、
ストラップの挿通穴を有し、上記ピンのネック部径に対応する径で大径頭部の径より小径の小径穴と、この小径穴に連続しピンの大径頭部を挿通させる大径穴が穿設された基板；
上記基板に固定された台座；
上記基板と台座との間に挟まれて、上記小径穴の中心を略回転中心部として回動可能に支持される回転ボタン；
上記回転ボタンに固着され、上記基板の大径穴に挿通したピンの大径頭部に対応する幅を有して回転ボタンの回転中心部から半径方向に延びる長穴が形成された有穴ロック板；及び
上記基板と台座に対する上記回転ボタンと有穴ロック板の回動を２つの異なる位置で係止させる、アンロック操作可能な回動ロック手段；
を備え、
上記回動ロック手段により係止される回転ボタンと有穴ロック板の一方の回動位置においては、該有穴ロック板の長穴と上記基板の大径穴との位置が合致していて上記ピンの大径頭部を該大径穴及び長穴に挿通でき、回転ボタンと有穴ロック板を上記回動ロック手段により係止される他方の回動位置に回動させると、該ピンの大径頭部を長穴壁面が押圧してネック部を相対的に基板の小径穴に移動させることを特徴とするストラップの吊具。
【請求項２】
請求項１記載のストラップの吊具において、上記回動ロック手段は、
上記有穴ロック板に支持された、上記回転ボタンの半径方向に弾性変形可能な一対のストッパ；及び
上記台座に形成した、この一対のストッパを択一して係合させるストップ溝；を有するストラップの吊具。
【発明の詳細な説明】
【０００１】
【技術分野】
本発明は、ネック部と大径頭部とを有するピンに着脱されるストラップの吊具に関する。
【０００２】
【従来技術とその問題点】
この種の吊具は、携行品、例えばカメラに固定されたピンに対してストラップを着脱するために用いられる。従来、本出願人を含めて多数の吊具が提案され、それぞれ機能的には特別の問題なく使用されているが、より使い勝手（操作感、操作性）がよく、構造が単純で、部品点数が少なく、より確実なロック作用が得られるという観点から、改良の余地がある。
【０００３】
【発明の目的】
本発明は、ロック部材の回転動作によってネック部と大径頭部とを有するピンに対するロック及びロック解除ができ、使い勝手がよいストラップの吊具を得ることを目的とする。
【０００４】
【発明の概要】
本発明は、ネック部と大径頭部とを有するピンに着脱されるストラップの吊具において、ストラップの挿通穴を有し、ピンのネック部径に対応する径で大径頭部の径より小径の小径穴と、この小径穴に連続しピンの大径頭部を挿通させる大径穴が穿設された基板；この基板に固定された台座；この基板と台座との間に挟まれて、基板の小径穴の中心を略回転中心部として回動可能に支持される回転ボタン；この回転ボタンに固着され、基板の大径穴に挿通したピンの大径頭部に対応する幅を有して回転ボタンの回転中心部から半径方向に延びる長穴が形成された有穴ロック板；及び、基板と台座に対する回転ボタンと有穴ロック板の回動を２つの異なる位置で係止させる、アンロック操作可能な回動ロック手段；を備え、回動ロック手段により係止される回転ボタンと有穴ロック板の一方の回動位置においては、該有穴ロック板の長穴と基板の大径穴との位置が合致していてピンの大径頭部を該大径穴及び長穴に挿通可能とし、回転ボタンと有穴ロック板を回動ロック手段により係止される他方の回動位置に回動させることにより、該ピンの大径頭部を長穴壁面により押圧してネック部を相対的に基板の小径穴に移動させるようにしたことを特徴としている。
【０００６】
有穴ロック板及び回転ボタンを２つの回動位置で係止する回動ロック手段は、有穴ロック板に支持され回転ボタンの半径方向に弾性変形可能な一対のストッパと、台座に形成されてこの一対のストッパを択一して係合させるストップ溝とから構成することができる。
【０００７】
【発明の実施形態】
本実施形態のストラップの吊具は、図１、図５に示すように、カメラ等の被携行品Ｃに埋め込み固定される、大径頭部Ｈとネック部（小径部）Ｎとを有するピンＰに着脱して用いるもので、基体１０と、この基体１０に往復回動自在に支持された回転ロック体２０とからなっている。
【０００８】
基体１０は、金属から構成することが好ましい基板１１と、この基板１１との間に回転ロック体２０を回転自在に挟んで、該基板１１に固定される台座１２とを備えている。この台座１２は、合成樹脂材料の成形品から構成することが好ましい。基板１１は、ストラップＳの挿通固定穴１３、ピンＰのネック部Ｎの径Ｂに対応する小径穴１４、及びこの小径穴１４に連通する、ピンＰの大径頭部Ｈの径Ａに対応する径の大径穴１５を備えている。小径穴１４は、ピンＰの大径頭部Ｈより小径で、ネック部Ｎに係合可能である。大径穴１５は、大径頭部Ｈを自由に軸方向に移動させることができる径に形成されている。小径穴１４の小径穴中心１４Ｘは、回転ロック体２０の回転中心である。基板１１には、台座１２の固定穴１１ａが穿設されている。
【０００９】
一方、台座１２は、その中心部に、小径穴中心１４Ｘを中心とする円形開口１７と、この円形開口１７より内側に位置する、円形開口１７より大径の抜け止め段部１７ａとが備えられ、この抜け止め段部１７ａの一部に、大径セクタ状の回動範囲規制溝１７ｂが形成されている。この台座１２にはさらに、円形開口１７に通じる半径方向のストップ溝（回動ロック手段）１８と、このストップ溝１８を中心として左右に広がる爪掛け凹部１９とが形成されている。１２ａは、基板１１の円形開口１７に挿通される溶着脚である
【００１０】
回転ロック体２０は、合成樹脂材料の成形品から構成することが好ましい回転ボタン２１と、この回転ボタン２１に固定される有穴ロック板２２と、この有穴ロック板２２に固定されるストッパばね体２３とを備えている。回転ボタン２１は、基体１０側の台座１２の円形開口１７、抜け止め段部１７ａ、回動範囲規制溝１７ｂに回転自在に支持されるもので、円形開口１７から突出する回転操作部２１ａ、抜け止め段部１７ａに抜け止められる大径部２１ｂと、回動範囲規制溝１７ｂに嵌まる回動範囲規制突起２１ｃとを有し、また回転操作部２１ａの壁面には、９０゜間隔を異ならせてストッパ突出穴２４ａと２４ｂが半径方向に貫通させて穿設されている。
【００１１】
有穴ロック板２２は、この回転ボタン２１に固定されるもので、回転ロック体２０の回転中心（つまり小径穴中心１４Ｘ）から半径方向に延びる長穴２５と、ストッパばね体２３の固定部２６とを有する。長穴２５の幅は、ピンＰの大径頭部Ｈの径Ａに対応するもので、大径頭部Ｈは、この長穴２５内を相対移動できる。
【００１２】
ストッパばね体２３は、この有穴ロック板２２上の固定部２６に固定される固定部２３ａと、この固定部２３ａから対称に延びる一対の弾性変形脚２３ｂと、この弾性変形脚２３ｂの先端部にそれぞれ設けたストッパ突起（回動ロック手段）２３ｃ、２３ｄとを有する。ストッパ突起２３ｃと２３ｄはそれぞれ、弾性変形脚２３ｂの自由状態で、回転ボタン２１のストッパ突出穴２４ａと２４ｂから回転ロック体２０の径方向外方に突出し、一方、半径方向に押圧すると、弾性変形脚２３ｂが撓んでストッパ突出穴２４ａ、２４ｂ（円形開口１７）内に引っ込む。ストッパばね体２３の固定部２３ａを固定部２６に固定した有穴ロック板２２は、そのストッパ突起２３ｃと２３ｄを固定部２３ａと２４ｂに嵌めた状態で、回転ボタン２１に固着され、回転ロック体２０が完成する。
【００１３】
完成した回転ロック体２０は、台座１２の円形開口１７に回転自在に嵌められ、この台座１２の溶着脚１２ａが基板１１の固定穴１１ａに嵌められて溶着され、基体１０と回転ロック体２０の組立が終了する。この組立状態で、ストッパ突起２３ｃと２３ｄは、一方が台座１２のストップ溝１８から突出することができる。有穴ロック板２２の長穴２５は、ストッパ突起２３ｃがストップ溝１８から突出した状態では、基板１１の小径穴１４と大径穴１５の中心を結ぶ方向と同一方向に向き（図３）、ストッパ突起２３ｄがストップ溝１８から突出した状態では、基板１１の小径穴１４と大径穴１５の中心を結ぶ方向と直交する方向に向く（図４）。
【００１４】
上記構成の本ストラップの吊具は、次のように使用する。ピンＰに対して着脱するときには、回転ロック体２０を回転させてその長穴２５を、基板１１の小径穴１４と大径穴１５の中心を結ぶ方向に向ける（図３）。このときには、ストッパ突起２３ｃが台座１２のストップ溝１８に嵌まり、回転ロック体２０の回転がロックされている。
【００１５】
この状態で、基板１１の大径穴１５にピンＰの大径頭部Ｈを嵌め、さらに、大径頭部Ｈを回転ロック体２０（有穴ロック板２２）の長穴２５に係合させる。そして爪掛け凹部１９に爪をかけてストップ溝１８から突出しているストッパ突起２３ｃを大径穴１５内に押し入れて回転ロック体２０のロックを解除し、回転ロック体２０を図３の矢印ａ方向に回転させる。すると、長穴２５内にあるピンＰの大径頭部Ｈは、長穴２５の壁面に押されて相対的に回転ロック体２０の回転中心（小径穴中心１４Ｘ）側へ向けて矢印ｂのように移動し、ピンＰのネック部Ｎが小径穴１４に係合していく。
【００１６】
回転ロック体２０を完全に９０゜回転させると、今度は、ストッパ突起２３ｄがストップ溝１８に嵌まって回転ロック体２０の回転がロックされる（図４）。このときには、ピンＰのネック部Ｎは、基板１１の小径穴１４に移動してその小径穴中心１４ＸにピンＰ（ネック部Ｎ）の中心を位置させており、長穴２５は基板１１の小径穴１４と大径穴１５の中心を結ぶ方向と直交する方向に向いている。よって、ピンＰは小径穴１４の大径頭部Ｈに係合するから基板１１（基体１０）に対して軸方向には移動できず、また、ピンＰの大径穴１５方向への相対移動は長穴２５が阻止するため、径方向にも移動できない。よって、ピンＰ（携行品Ｃ）と本吊具とがロックされる。
【００１７】
本吊具をピンＰから外すときには、以上とは逆に、ストップ溝１８から突出しているストッパ突起２３ｄを押し込んで後、回転ロック体２０を反対方向（図４の矢印ｃ方向）に９０゜回転させる。すると、長穴２５内にあるピンＰの大径頭部Ｈは、長穴２５の壁面により押されて相対的に回転ロック体２０の回転中心（小径穴中心１４Ｘ）から大径穴１５側へ向けて矢印ｄのように移動する。最終的に、ストッパ突起２３ｄがストップ溝１８から突出して最初（図３）の状態に戻ると、長穴２５が、基板１１の小径穴１４と大径穴１５の中心を結ぶ方向に向くので、ピンＰを大径穴１５から引き抜くことができる。
【００１８】
上記実施形態の基体１０と回転ロック体２０の構成によると、少ない部品点数で本吊具を構成できるという利点があるが、発明の要旨を逸脱しない限りにおいて細部の構成を異ならせてもよい。また、上記実施形態では、回転ロック体２０の９０°の往復回動によって、ピンＰに対する着脱位置とロック位置を選択できるようにしたが、この角度は、使い勝手のよい角度にすることができる。ロックの確実性からは９０°前後とすることが好ましい。
【００１９】
【発明の効果】
以上のように本発明のストラップの吊具によれば、回転ボタンと有穴ロック板の結合体（回転ロック体）の回転動作によって、ピンとのロック及びロック解除動作を行うことができる。ロック動作に際しては、有穴ロック板の長穴の壁面によって大径頭部を押圧してピンのネック部を相対的に基体の小径穴に導くことができるので、使い勝手がよい。また部品点数が少ない、単純な構造のストラップの吊具が得られる。
【図面の簡単な説明】
【図１】本発明によるストラップの吊具の一実施形態を示す分解斜視図である。
【図２】図１のストラップの吊具の回転ロック体の分解斜視図である。
【図３】図１のストラップの吊具の組立状態でかつピンとのアンロック状態における平面図である。
【図４】同ロック状態における平面図である。
【図５】図３のＶーＶ線に沿う断面図である。
【図６】図１のストラップの組立完成状態の斜視図である。
【符号の説明】
Ｐ  ピン
Ｈ  拡径頭部
Ｎ  ネック部
１０  基体
１１  基板
１２  台座
１３  ストラップ挿通固定穴
１４  小径穴
１５  大径穴
１７  円形開口
１７ａ  抜け止め段部
１７ｂ  回動範囲規制溝
１８  ストップ溝
１９  爪掛け凹部
２０  回転ロック体
２１  回転ボタン
２２  有穴ロック板
２３  ストッパばね体
２３ａ  固定部
２３ｂ  弾性変形脚
２３ｃ  ２３ｄ  ストッパ突起
２４ａ  ２４ｂ  ストッパ突出穴
２５  長穴
【図１】
0004099275.tif 000002
【図２】
0004099275.tif 000003
【図３】
0004099275.tif 000004
【図４】
0004099275.tif 000005
【図５】
0004099275.tif 000006
【図６】
0004099275.tif 000007